(57)【要約】【課題】照明器具の調光状態を記憶することができる照明制御装置を提供する。【解決手段】照明制御装置１００は、調光回路３、操作部２、制御部９、及び記憶部１０を備える。調光回路３は、照明器具Ｌに供給する交流電圧の半波の後側の導通遮断位相を調整する。制御部９は、操作部２に対するユーザーの操作に応じて調光回路３の動作を制御する。操作部２は、第１操作部２１及び第２操作部２２を有する。制御部９は、第１操作部２１が受け付けた操作に応じて導通遮断位相を変更する。制御部９は、第２操作部２２が受け付けた操作が第１操作方式であると判定すると、第２操作部２２が操作を受け付けた時点の導通遮断位相に関する情報を記憶部１０に記憶させる。制御部９は、第２操作部２２が受け付けた操作が第２操作方式であると判定すると、記憶部１０に記憶された導通遮断位相に関する情報に基づいて導通遮断位相を変更する。【選択図】図４
2020095894.tif 000002
【特許請求の範囲】
【請求項１】
照明器具に供給する交流電圧の半波の後側の導通遮断位相を調整する調光回路と、
ユーザーによる操作を受け付ける操作部と、
前記操作に応じて前記調光回路の動作を制御する制御部と、
前記導通遮断位相に関する情報を記憶する記憶部と
を備え、
前記操作部は、第１操作部及び第２操作部を有し、
前記制御部は、前記第１操作部が受け付けた前記操作に応じて前記導通遮断位相を変更し、
前記制御部は、前記第２操作部が受け付けた前記操作が第１操作方式及び第２操作方式のいずれであるかを判定し、
前記制御部は、前記第２操作部が受け付けた前記操作が前記第１操作方式であると判定すると、前記第２操作部が前記操作を受け付けた時点の前記導通遮断位相に関する情報を前記記憶部に記憶させ、
前記制御部は、前記第２操作部が受け付けた前記操作が前記第２操作方式であると判定すると、前記記憶部に記憶された前記導通遮断位相に関する情報に基づいて前記導通遮断位相を変更する、照明制御装置。
【請求項２】
前記調光回路は、スイッチング部を含み、
前記スイッチング部は、前記交流電圧の導通角を制御し、
前記制御部は、前記スイッチング部の動作を制御する、請求項１に記載の照明制御装置。
【請求項３】
前記第２操作部は、複数の操作ボタンを含み、
前記記憶部は、前記複数の操作ボタンの各々に関連付けて前記導通遮断位相に関する情報を記憶する、請求項１又は請求項２に記載の照明制御装置。
【請求項４】
前記第２操作部は、前記操作が前記第１操作方式である場合、第１形式の信号を生成し、前記操作が前記第２操作方式である場合、第２形式の信号を生成し、
前記制御部は、前記第２操作部が生成した信号が前記第１形式及び前記第２形式のいずれであるかを判定する、請求項１〜請求項３のいずれか１項に記載の照明制御装置。
【請求項５】
前記調光回路は、複数であり、
前記制御部は、前記複数の調光回路の各々の動作を制御する、請求項１〜請求項４のいずれか１項に記載の照明制御装置。
【発明の詳細な説明】
【技術分野】
【０００１】
本発明は、照明制御装置に関する。
【背景技術】
【０００２】
調光の方式として、正位相制御方式と逆位相制御方式とが知られている。逆位相制御方式は、正位相制御方式と比べてノイズを低減することができる。例えば、特許文献１には、逆位相制御方式の調光装置が開示されている。
【先行技術文献】
【特許文献】
【０００３】
【特許文献１】特開２０１７−０５０１０９号公報
【発明の概要】
【発明が解決しようとする課題】
【０００４】
しかしながら、特許文献１に開示の調光装置では、照明器具の調光状態を記憶することができない。このため、ユーザーは、照明器具を点灯させる度に、所望の調光状態となるように照明器具から出射される光の光量を調整する操作が必要になる。この結果、ユーザーの利便性が低下する。
【０００５】
本発明は上記課題に鑑み、照明器具の調光状態を記憶することができる照明制御装置を提供することを目的とする。
【課題を解決するための手段】
【０００６】
本願に開示する照明制御装置は、調光回路と、操作部と、制御部と、記憶部とを備える。前記調光回路は、照明器具に供給する交流電圧の半波の後側の導通遮断位相を調整する。前記操作部は、ユーザーによる操作を受け付ける。前記制御部は、前記操作に応じて前記調光回路の動作を制御する。前記記憶部は、前記導通遮断位相に関する情報を記憶する。前記操作部は、第１操作部及び第２操作部を有する。前記制御部は、前記第１操作部が受け付けた操作に応じて前記導通遮断位相を変更する。前記制御部は、前記第２操作部が受け付けた前記操作が第１操作方式及び第２操作方式のいずれであるかを判定する。前記制御部は、前記第２操作部が受け付けた前記操作が前記第１操作方式であると判定すると、前記第２操作部が前記操作を受け付けた時点の前記導通遮断位相に関する情報を前記記憶部に記憶させる。前記制御部は、前記第２操作部が受け付けた前記操作が前記第２操作方式であると判定すると、前記記憶部に記憶された前記導通遮断位相に関する情報に基づいて前記導通遮断位相を変更する。
【０００７】
本願に開示する照明制御装置において、前記調光回路は、スイッチング部を含む。前記スイッチング部は、前記交流電圧の導通角を制御する。前記制御部は、前記スイッチング部の動作を制御する。
【０００８】
本願に開示する照明制御装置において、前記第２操作部は、複数の操作ボタンを含む。前記記憶部は、前記複数の操作ボタンの各々に関連付けて前記導通遮断位相に関する情報を記憶する。
【０００９】
本願に開示する照明制御装置において、前記第２操作部は、前記操作が前記第１操作方式である場合、第１形式の信号を生成し、前記操作が前記第２操作方式である場合、第２形式の信号を生成する。前記制御部は、前記第２操作部が生成した信号が前記第１形式及び前記第２形式のいずれであるかを判定する。
【００１０】
本願に開示する照明制御装置において、前記調光回路は、複数であり、前記制御部は、前記複数の調光回路の各々の動作を制御する。
【発明の効果】
【００１１】
本発明の照明制御装置によれば、照明器具の調光状態を記憶することができる。
【図面の簡単な説明】
【００１２】
【図１】本発明の実施形態に係る照明制御装置を示すブロック図である。
【図２】（ａ）は、交流電源から照明制御装置に供給される交流電圧の波形を示す図であり、（ｂ）は、本発明の実施形態に係る照明制御装置から照明器具に供給される交流電圧の波形の一例を示す図である。
【図３】本発明の実施形態に係る照明制御装置の構成を示す図である。
【図４】本発明の実施形態に係る照明制御装置の構成を示すブロック図である。
【図５】本発明の実施形態に係る調光テーブルの一例を示す図である。
【図６】本発明の実施形態に係る調光回路の構成を示す図である。
【図７】（ａ）〜（ｃ）は、本発明の実施形態に係る調光回路から出力される交流電圧の波形を示す図である。
【図８】本発明の実施形態に係るシーン操作処理を示すフローチャートである。
【図９】本発明の実施形態に係る調光テーブルの第１他例を示す図である。
【図１０】本発明の実施形態に係る調光テーブルの第２他例を示す図である。
【発明を実施するための形態】
【００１３】
以下、図面を参照して本発明に係る照明制御装置の実施形態について説明する。なお、図中、同一又は相当部分については同一の参照符号を付して説明を繰り返さない。
【００１４】
まず、図１を参照して、本実施形態に係る照明制御装置１００について説明する。図１は、本実施形態に係る照明制御装置１００を示すブロック図である。
【００１５】
図１に示すように、照明制御装置１００は、交流電源Ａと接続する。照明制御装置１００には、交流電源Ａから交流電圧が供給される。また、照明制御装置１００は、照明器具Ｌと接続する。照明制御装置１００は、交流電源Ａから供給される交流電圧を調整して照明器具Ｌへ供給する。
【００１６】
照明器具Ｌは、例えば、ＳＭＤ（Ｓｕｒｆａｃｅ  Ｍｏｕｎｔ  Ｄｅｖｉｃｅ）チップのような光源を有する。光源は、発光素子を有する。発光素子は、例えば、ＬＥＤ（Ｌｉｇｈｔ  Ｅｍｉｔｔｉｎｇ  Ｄｉｏｄｅ）素子又は有機ＥＬ（Ｅｌｅｃｔｒｏ−Ｌｕｍｉｎｅｓｃｅｎｃｅ）素子である。照明器具Ｌは、例えば、ペンダントライトのような吊下げ灯、シーリングライトのような天井直付け灯、ダウンライトのような埋め込み灯、又はブラケットライトのような壁直付け灯である。
【００１７】
次に、図１、図２（ａ）及び図２（ｂ）を参照して、照明制御装置１００から照明器具Ｌに供給される交流電圧Ｗ１０について説明する。図２（ａ）は、交流電源Ａから照明制御装置１００に供給される交流電圧Ｗ１の波形を示す図である。図２（ｂ）は、本実施形態に係る照明制御装置１００から照明器具Ｌに供給される交流電圧Ｗ１０の波形の一例を示す図である。
【００１８】
図２（ａ）に示すように、交流電圧Ｗ１は、正弦波状の波形を有する。換言すると、交流電圧Ｗ１は、正弦波状の半波Ｗ２によって構成される。また、交流電圧Ｗ１は、ゼロクロスＷ３を含む。交流電圧Ｗ１が商用電源である場合、交流電圧Ｗ１の周波数は、５０Ｈｚ又は６０Ｈｚである。
【００１９】
図２（ｂ）に示すように、照明制御装置１００は、逆位相制御方式で制御した交流電圧Ｗ１０を照明器具Ｌに供給する。詳しくは、照明制御装置１００は、半波Ｗ２の後側に切り欠きを含む交流電圧Ｗ１０を出力する。具体的には、半波Ｗ２は、導通遮断位相Ｐと半波Ｗ２が終了するゼロクロスＷ３との間に切り欠きを含む。導通遮断位相Ｐは、交流電圧Ｗ１０が遮断される位相を示す。導通遮断位相Ｐは、半波Ｗ２が開始するゼロクロスＷ３よりも後側に設定される。
【００２０】
図１を参照して説明した照明制御装置１００は、交流電圧Ｗ１０の導通遮断位相Ｐを変更することにより、照明器具Ｌが有する発光素子から出射する光の光量を調整する。以下、照明器具Ｌが有する発光素子から出射する光の光量を「照明器具Ｌの光量」と記載する場合がある。また、照明器具Ｌの光量の調整を「調光」と記載する場合がある。
【００２１】
続いて、図１〜図３を参照して、本実施形態に係る照明制御装置１００の構成について説明する。図３は、本実施形態に係る照明制御装置１００の構成を示す図である。
【００２２】
図３に示すように、照明制御装置１００は、枠体１、及び操作部２を備える。操作部２は、枠体１に配置される。操作部２は、ユーザーによる操作を受け付ける。
【００２３】
操作部２は、電源操作部２０、調光操作部２１、及びシーン操作部２２を有する。調光操作部２１は、第１操作部の一例であり、シーン操作部２２は、第２操作部の一例である。
【００２４】
電源操作部２０は、電源操作ボタン２０１を有する。電源操作ボタン２０１は、照明器具Ｌの点灯状態を制御するための操作ボタンである。照明器具Ｌは、電源操作ボタン２０１が押下されることによって、点灯状態が切り替わる。具体的には、照明器具Ｌが消灯状態において、電源操作ボタン２０１が押下されると、照明器具Ｌが点灯する。一方、照明器具Ｌが点灯状態において、電源操作ボタン２０１が押下されると、照明器具Ｌが消灯する。
【００２５】
調光操作部２１は、調光操作ボタン２１１を有する。調光操作ボタン２１１は、照明器具Ｌの光量を制御するための操作ボタンである。換言すると、調光操作ボタン２１１は、照明器具Ｌを調光するための操作ボタンである。照明器具Ｌが点灯状態において、調光操作ボタン２１１が押下されると、照明器具Ｌの光量が変化する。詳しくは、調光操作ボタン２１１の異なる位置を押下することにより、照明器具Ｌの光量が増加又は減少する。
【００２６】
図３に示す例において、調光操作ボタン２１１は、矩形形状を有する。ユーザーが、調光操作ボタン２１１の上部を押下すると、調光操作ボタン２１１が押下された時点よりも照明器具Ｌの光量が増加する。一方、ユーザーが調光操作ボタン２１１の下部を押下すると、調光操作ボタン２１１が押下された時点よりも照明器具Ｌの光量が減少する。なお、調光操作部２１は、調光操作ボタン２１１にかえてダイヤルを有してもよい。ユーザーは、ダイヤルを操作することにより、照明器具Ｌの光量を調整し得る。
【００２７】
シーン操作部２２は、複数のシーン操作ボタン２２０を含む。複数のシーン操作ボタン２２０の各々は、照明器具Ｌの現在の光量を「シーン」として登録するための操作ボタンである。あるいは、複数のシーン操作ボタン２２０の各々は、登録した「シーン」を呼出するための操作ボタンである。本実施形態において、シーン操作部２２は、３つのシーン操作ボタン２２０を含む。以下、３つのシーン操作ボタン２２０を「第１シーン操作ボタン２２１」、「第２シーン操作ボタン２２２」、及び「第３シーン操作ボタン２２３」と記載する場合がある。
【００２８】
シーン操作部２２は、ユーザーの操作を、第１操作方式又は第２操作方式によって受け付ける。本実施形態において、第１操作方式は、複数のシーン操作ボタン２２０（第１シーン操作ボタン２２１、第２シーン操作ボタン２２２、及び第３シーン操作ボタン２２３）のいずれかを短押しする操作方式を示す。短押しは、複数のシーン操作ボタン２２０のいずれかが押下されてから所定時間以内に押下が解除される操作を示す。第２操作方式は、複数のシーン操作ボタン２２０のいずれかを長押しする操作方式を示す。長押しは、複数のシーン操作ボタン２２０のいずれかが押下されてから所定時間が経過した後に押下を解除する操作を示す。所定時間は、例えば、３秒である。
【００２９】
続いて、図１〜図４を参照して、本実施形態に係る照明制御装置１００の構成について説明する。図４は、本実施形態に係る照明制御装置１００の構成を示すブロック図である。
【００３０】
図４に示すように、照明制御装置１００は、操作部２に加え、調光回路３、制御部９、及び記憶部１０を備える。
【００３１】
操作部２は、ユーザーによる操作を受け付けると、ユーザーによる操作を示す操作信号を生成する。操作信号は、電源操作信号、調光操作信号、及びシーン操作信号を含む。
【００３２】
電源操作部２０は、電源操作部２０に対するユーザーの操作を受け付けると、電源操作信号を生成する。本実施形態において、電源操作部２０は、電源操作ボタン２０１が押下されると電源操作信号を生成する。
【００３３】
調光操作部２１は、調光操作部２１に対するユーザーの操作を受け付けると、調光操作信号を生成する。本実施形態において、調光操作部２１は、調光操作ボタン２１１が押下されると、調光操作信号を生成する。詳しくは、調光操作信号は、第１調光操作信号及び第２調光操作信号を含む。第１調光操作信号は、図３を参照して説明した調光操作ボタン２１１の上部が押下された際に調光操作部２１が生成する信号である。第２調光信号は、調光操作ボタン２１１の下部が押下された際に調光操作部２１が生成する信号である。
【００３４】
シーン操作部２２は、シーン操作部２２に対するユーザーの操作を受け付けると、シーン操作信号を生成する。詳しくは、シーン操作信号は、第１シーンボタン信号、第２シーンボタン信号、及び第３シーンボタン信号を含む。第１シーンボタン信号は、第１シーン操作ボタン２２１が押下された際に、シーン操作部２２が生成する信号である。第２シーンボタン信号は、第２シーン操作ボタン２２２が押下された際に、シーン操作部２２が生成する信号である。第３シーンボタン信号は、第３シーン操作ボタン２２３が押下された際に、シーン操作部２２が生成する信号である。
【００３５】
また、シーン操作部２２は、シーン操作ボタン２２０に対する操作の方式によって、形式が異なる信号を生成する。詳しくは、シーン操作部２２は、シーン操作ボタン２２０に対する操作の方式が第１操作方式である場合、第１形式のシーン操作信号を生成する。一方、シーン操作部２２は、シーン操作ボタン２２０に対する操作の方式が第２操作方式である場合、第２形式のシーン操作信号を生成する。例えば、シーン操作信号は、パルス信号であり得る。この場合、第１形式のシーン操作信号は、第２形式のシーン操作信号と比べて、パルス長さが短いパルス信号、あるいは、第２形式のシーン操作信号と比べて、パルス長さが長いパルス信号であり得る。
【００３６】
本実施形態において、シーン操作部２２は、第１シーン操作ボタン２２１が短押しされると、第１形式の第１シーンボタン信号を生成し、第２シーン操作ボタン２２２が短押しされると、第１形式の第２シーンボタン信号を生成し、第３シーン操作ボタン２２３が短押しされると、第１形式の第３シーンボタン信号を生成する。また、シーン操作部２２は、第１シーン操作ボタン２２１が長押しされると、第２形式の第１シーンボタン信号を生成し、第２シーン操作ボタン２２２が長押しされると、第２形式の第２シーンボタン信号を生成し、第３シーン操作ボタン２２３が長押しされると、第２形式の第３シーンボタン信号を生成する。
【００３７】
調光回路３は、交流電圧Ｗ１０の導通遮断位相Ｐを調整する。調光回路３の構成については、図６を参照して後述する。
【００３８】
制御部９は、例えば、ＣＰＵ（Ｃｅｎｔｒａｌ  Ｐｒｏｃｅｓｓｉｎｇ  Ｕｎｉｔ）のようなプロセッサーを有する。制御部９は、操作部２に対するユーザーの操作に応じて調光回路３の動作を制御する。具体的には、制御部９は、操作信号に基づいて、調光回路３の動作を制御する。詳しくは、制御部９は、操作信号が生成されると、操作信号が電源操作信号、調光操作信号、及びシーン操作信号のいずれであるかを判定する。
【００３９】
制御部９は、操作信号が電源操作信号であると判定すると、調光回路３の動作を制御して照明器具Ｌの点灯状態を制御する。具体的には、制御部９は、照明器具Ｌが消灯状態において、操作信号が電源操作信号であると判定すると、交流電圧Ｗ１０が照明器具Ｌに供給されるように調光回路３の動作を制御する。これにより、照明器具Ｌが点灯する。一方、制御部９は、照明器具Ｌが点灯状態において、操作信号が電源操作信号であると判定すると、照明器具Ｌへの交流電圧Ｗ１０の供給を遮断するように調光回路３の動作を制御する。これにより、照明器具Ｌが消灯する。
【００４０】
制御部９は、操作信号が調光操作信号であると判定すると、調光操作信号に基づいて、交流電圧Ｗ１０の導通遮断位相Ｐ（図２（ｂ）参照）を変更する。換言すると、制御部９は、調光操作部２１が受け付けた操作に応じて導通遮断位相Ｐを変更する。
【００４１】
制御部９は、操作信号がシーン操作信号であると判定すると、シーン操作処理を実行する。シーン操作処理については、図８を参照して説明する。
【００４２】
記憶部１０は、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）を含む。記憶部１０は、照明制御装置１００の各部の動作を制御するための制御プログラムを記憶する。制御部９は、制御プログラムを実行して、調光回路３の動作を制御する。
【００４３】
また、記憶部１０は、調光操作信号と変更情報とを関連付けて記憶する。変更情報は、導通遮断位相Ｐを変更するための情報を示す。本実施形態において、変更情報は、第１変更情報及び第２変更情報を含む。第１変更情報は、第１調光操作信号と関連付けられる。第１変更情報は、照明器具Ｌに供給される電力が増加するように導通遮断位相Ｐを変更するための情報を示す。具体的には、第１変更情報は、設定中の導通遮断位相Ｐよりも後ろ側に導通遮断位相Ｐを変更するための情報を示す。第２変更情報は、第２調光操作信号と関連付けられる。第２変更情報は、照明器具Ｌに供給する電力が減少するように導通遮断位相Ｐを変更するための情報を示す。具体的には、第２変更情報は、設定中の導通遮断位相Ｐよりも前側に導通遮断位相Ｐを変更するための情報を示す。
【００４４】
本実施形態において、記憶部１０は、変更情報として調光テーブル１０１を記憶する。調光テーブル１０１には、導通遮断位相Ｐに関する情報が保存されている。
【００４５】
詳しくは、調光テーブル１０１には、導通遮断位相Ｐに関する情報がテーブル形式で保存される。以下、調光テーブル１０１に保存されている導通遮断位相Ｐに関する情報を「テーブル情報」と記載する。テーブル情報は、例えば、照明器具Ｌの光量を離散的に示す。あるいは、テーブル情報は、導通遮断位相Ｐを離散的に示す。あるいは、テーブル情報は、図６を参照して説明するスイッチ素子３１のターンオン及びターンオフのタイミングを離散的に示す。本実施形態において、テーブル情報は、導通遮断位相Ｐを離散的に示す。
【００４６】
続いて、図５を参照して、本実施形態に係る調光テーブル１０１について説明する。図５は、本実施形態に係る調光テーブル１０１の一例を示す図である。
【００４７】
図５に示すように、調光テーブル１０１は、調光レベルと、導通遮断位相Ｐを示す情報とを関連付ける。調光レベルは、照明器具Ｌの光量を段階的に示す。図５に示す例では、調光レベルは、照明器具Ｌの光量を２０段階で示す。導通遮断位相Ｐを示す情報は、交流電圧Ｗ１が正の電圧を示す期間における導通遮断位相Ｐ（調光テーブル１０１の「正」）と、交流電圧Ｗ１が負の電圧を示す期間における導通遮断位相Ｐ（調光テーブル１０１の「負」）とを示す。以下、交流電圧Ｗ１が正の電圧を示す期間における導通遮断位相Ｐを「正極側の導通遮断位相Ｐ」と記載する場合がある。また、交流電圧Ｗ１が負の電圧を示す期間における導通遮断位相Ｐを「負極側の導通遮断位相Ｐ」と記載する場合がある。
【００４８】
また、調光テーブル１０１には、第１設定情報が更に保存される。第１設定情報は、調光レベルの各々に関連付けられて調光テーブル１０１に保存される。換言すると、第１設定情報は、導通遮断位相Ｐを示す情報の各々に関連付けられる。第１設定情報は、現在設定されている導通遮断位相Ｐに関する情報を特定する情報である。換言すると、第１設定情報は、現在設定されている調光レベルを特定するための情報である。第１設定情報は、例えば、第１フラグである。現在設定されている調光レベルに関連付けられた第１フラグは、オン状態（例えば、「１」）であり、現在設定されていない調光レベルに関連付けられた第１フラグは、オフ状態（例えば、空欄）である。
【００４９】
制御部９は、調光操作信号が生成されると、調光テーブル１０１を参照して、調光回路３の動作を制御する。詳しくは、制御部９は、テーブル情報及び第１設定情報を参照して、現在設定されている導通遮断位相Ｐに関する情報とは異なる導通遮断位相Ｐに関する情報をテーブル情報から読み出す。具体的には、制御部９は、照明器具Ｌの現在の調光レベルに対して１段階上又は１段階下の調光レベルに対応する導通遮断位相Ｐに関する情報をテーブル情報から読み出す。そして、制御部９は、テーブル情報から読み出した導通遮断位相Ｐに関する情報に基づいて、調光回路３の動作を制御する。具体的には、制御部９は、調光操作信号が、第１調光操作信号である場合、現在設定されている導通遮断位相Ｐよりも前側に導通遮断位相Ｐが変更されるように調光回路３の動作を制御する。また、調光操作信号が、第２調光操作信号である場合、現在設定されている導通遮断位相Ｐよりも後ろ側に導通遮断位相Ｐが変更されるように調光回路３の動作を制御する。制御部９は、導通遮断位相Ｐを変更すると、第１設定情報が、変更後の導通遮断位相Ｐに関する情報を特定する情報となるように、第１設定情報を更新する。
【００５０】
制御部９は、照明器具Ｌが消灯状態において、電源操作信号が生成されると、調光テーブル１０１を参照して、調光回路３の動作を制御する。詳しくは、制御部９は、第１設定情報を参照して、第１設定情報が特定する調光レベルに対応する導通遮断位相Ｐを示す情報を調光テーブル１０１から読み出す。そして、制御部９は、調光テーブル１０１から読み出した導通遮断位相Ｐを示す情報に基づいて、調光回路３の動作を制御する。即ち、照明器具Ｌの点灯時における第１設定情報を特定する調光レベルは、照明器具Ｌが前回消灯された時点における調光レベルであり、前回消灯時の調光レベルで照明器具Ｌが点灯する。
【００５１】
次に、図１〜図６を参照して、本実施形態に係る調光回路３の構成について説明する。図６は、本実施形態に係る調光回路３の構成を示す図である。
【００５２】
図６に示すように、調光回路３は、スイッチ素子３１を有する。スイッチ素子３１は、図２（ｂ）を参照して説明した交流電圧Ｗ１０の導通角を制御する。スイッチ素子３１は、制御部９によって制御されてターンオン又はターンオフすることにより交流電圧Ｗ１０の導通角を制御する。スイッチ素子３１は、第１ＮｃｈＭＯＳＦＥＴ３１１、及び第２ＮｃｈＭＯＳＦＥＴ３１２を含む。スイッチ素子３１は、スイッチング部の一例である。
【００５３】
第１ＮｃｈＭＯＳＦＥＴ３１１のドレインは、交流電源Ａに電気的に接続する。第１ＮｃｈＭＯＳＦＥＴ３１１と第２ＮｃｈＭＯＳＦＥＴ３１２とは、相補的に接続される。詳しくは、第１ＮｃｈＭＯＳＦＥＴ３１１のソースが、第２ＮｃｈＭＯＳＦＥＴ３１２のソースに電気的に接続する。第１ＮｃｈＭＯＳＦＥＴ３１１のソース、及び第２ＮｃｈＭＯＳＦＥＴ３１２のソースは、接地される。第２ＮｃｈＭＯＳＦＥＴ３１２のドレインは、照明器具Ｌと電気的に接続する。
【００５４】
また、調光回路３は、ダイオード３２を更に有する。ダイオード３２は、第１ダイオード３２１及び第２ダイオード３２２を含む。
【００５５】
第１ダイオード３２１は、第１ＮｃｈＭＯＳＦＥＴ３１１のソース及びドレイン間に電気的に接続される。詳しくは、第１ダイオード３２１のアノードが第１ＮｃｈＭＯＳＦＥＴ３１１のソースに接続され、第１ダイオード３２１のカソードが第１ＮｃｈＭＯＳＦＥＴ３１１のドレインに接続される。
【００５６】
第２ダイオード３２２は、第２ＮｃｈＭＯＳＦＥＴ３１２のソース及びドレイン間に電気的に接続される。詳しくは、第２ダイオード３２２のアノードが第２ＮｃｈＭＯＳＦＥＴ３１２のソースに接続され、第２ダイオード３２２のカソードが第２ＮｃｈＭＯＳＦＥＴ３１２のドレインに接続される。
【００５７】
制御部９は、スイッチ素子３１の動作を制御する。詳しくは、制御部９は、第１ＮｃｈＭＯＳＦＥＴ３１１のゲートに対して、第１ＮｃｈＭＯＳＦＥＴ３１１をターンオン及びターンオフさせるパルス状の駆動信号を出力する。また、制御部９は、第２ＮｃｈＭＯＳＦＥＴ３１２のゲートに対して、第２ＮｃｈＭＯＳＦＥＴ３１２をターンオン及びターンオフさせるパルス状の駆動信号を出力する。
【００５８】
詳しくは、交流電圧Ｗ１が正の電圧を示す期間において、制御部９が第１ＮｃｈＭＯＳＦＥＴ３１１をターンオンすると、交流電圧Ｗ１は第１ＮｃｈＭＯＳＦＥＴ３１１を通過する。第１ＮｃｈＭＯＳＦＥＴ３１１を通過した交流電圧Ｗ１は、第２ダイオード３２２を経由して、照明器具Ｌに出力される。したがって、交流電圧Ｗ１が正の電圧を示す期間に、第１ＮｃｈＭＯＳＦＥＴ３１１のターンオン及びターンオフを制御することにより、交流電圧Ｗ１０の波形を切り欠くことができる。
【００５９】
一方、交流電圧Ｗ１が負の電圧を示す期間では、交流電圧Ｗ１は、第１ダイオード３２１を経由して、第２ＮｃｈＭＯＳＦＥＴ３１２のソースに印加される。交流電圧Ｗ１が負の電圧を示す期間において、制御部９が第２ＮｃｈＭＯＳＦＥＴ３１２をターンオンすると、交流電圧Ｗ１は第２ＮｃｈＭＯＳＦＥＴ３１２を通過する。第２ＮｃｈＭＯＳＦＥＴ３１２を通過した交流電圧Ｗ１は、照明器具Ｌに出力される。したがって、交流電圧Ｗ１が負の電圧を示す期間に、第２ＮｃｈＭＯＳＦＥＴ３１２のターンオン及びターンオフを制御することにより、交流電圧Ｗ１０の波形を切り欠くことができる。
【００６０】
制御部９は、スイッチ素子３１をターンオン及びターンオフするタイミングを制御することにより、導通遮断位相Ｐを変更することができる。本実施形態において、制御部９は、調光テーブル１０１から読み出した情報に基づいてスイッチ素子３１をターンオン及びターンオフするタイミングを制御する。詳しくは、正極側の導通遮断位相Ｐを示す情報に基づいて、第１ＮｃｈＭＯＳＦＥＴ３１１の動作を制御し、負極側の導通遮断位相Ｐを示す情報に基づいて、第２ＮｃｈＭＯＳＦＥＴ３１２の動作を制御する。この結果、操作信号に応じて導通遮断位相Ｐが変更される。
【００６１】
続いて、図７（ａ）〜図７（ｃ）を参照して、本実施形態に係る交流電圧Ｗ１０について説明する。
【００６２】
図７（ａ）〜図７（ｃ）は、本実施形態に係る調光回路３が出力する交流電圧Ｗ１０の波形を示す図である。詳しくは、図７（ａ）は、第１導通遮断位相Ｐ１でスイッチ素子３１がターンオフされることによって調光回路３から出力される交流電圧Ｗ１１を示す。図７（ｂ）は、第２導通遮断位相Ｐ２でスイッチ素子３１がターンオフされることによって調光回路３から出力される交流電圧Ｗ１２を示す。図７（ｃ）は、第３導通遮断位相Ｐ３でスイッチ素子３１がターンオフされることによって調光回路３から出力される交流電圧Ｗ１３を示す。第２導通遮断位相Ｐ２は、第１導通遮断位相Ｐ１と第３導通遮断位相Ｐ３との間に位置する。詳しくは、第１導通遮断位相Ｐ１は、第２導通遮断位相Ｐ２よりも前側に位置し、第３導通遮断位相Ｐ３は、第２導通遮断位相Ｐ２よりも後側に位置する。
【００６３】
図７（ａ）及び図７（ｂ）に示すように、制御部９が導通遮断位相Ｐを第１導通遮断位相Ｐ１から第２導通遮断位相Ｐ２に変更すると、照明器具Ｌに供給される電力が大きくなる。この結果、照明器具Ｌの光量が増加する。一方、制御部９が導通遮断位相Ｐを第３導通遮断位相Ｐ３から第２導通遮断位相Ｐ２に変更すると、照明器具Ｌに供給される電力が小さくなる。この結果、照明器具Ｌから出射される光の光量が減少する。
【００６４】
続いて、図１〜図８を参照して、本実施形態に係る制御部９によって実行されるシーン操作処理について説明する。図８は、本実施形態に係るシーン操作処理を示すフローチャートである。シーン操作処理は、操作信号がシーン操作信号であると制御部９が判定すると開始される。
【００６５】
図８に示すように、制御部９は、シーン操作部２２が受け付けた操作が第２操作方式であるか否かを判定することにより、シーン操作部２２が受け付けた操作が第１操作方式及び第２操作方式のいずれであるかを判定する（ステップＳ１０２）。詳しくは、制御部９は、シーン操作信号が第２形式の信号であるか否かを判定する。制御部９は、シーン操作信号が第２形式の信号であると判定すると、シーン操作部２２が受け付けた操作が第２操作方式であると判定する（ステップＳ１０２；Ｙｅｓ）。一方、制御部９は、シーン操作信号が、第２形式の信号ではない、即ち、第１形式の信号であると判定すると、シーン操作部２２が受け付けた操作が第１操作方式であると判定する（ステップＳ１０２；Ｎｏ）。
【００６６】
制御部９は、シーン操作部２２が受け付けた操作が第２操作方式であると判定すると（ステップＳ１０２；Ｙｅｓ）、登録処理を実行して（ステップＳ１０４）、シーン操作処理を終了する。詳しくは、制御部９は、シーン操作部２２が操作を受け付けた時点における導通遮断位相Ｐに関する情報を記憶部１０に記憶させる。換言すると、制御部９は、現在設定されている導通遮断位相Ｐに関する情報を記憶部１０に記憶させる。本実施形態において、制御部９は、図５を参照して説明した調光テーブル１０１から現在設定されている導通遮断位相Ｐに関する情報を読み出す。詳しくは、制御部９は、第１設定情報を参照して現在設定されている導通遮断位相Ｐに関する情報を読み出す。具体的には、制御部９は、現在設定されている導通遮断位相Ｐに関する情報として、正極側の導通遮断位相Ｐを示す情報及び負極側の導通遮断位相Ｐを示す情報を読み出す。そして、制御部９は、調光テーブル１０１が記憶されている記憶領域とは異なる記憶領域に調光テーブル１０１から読み出した情報を記憶させる。詳しくは、制御部９は、第２操作方式の操作を受け付けたシーン操作ボタン２２０と、現在設定されている導通遮断位相Ｐに関する情報とを関連付けて記憶させる。
【００６７】
より具体的には、制御部９は、第２操作方式の操作を受け付けたシーン操作ボタン２２０が第１シーン操作ボタン２２１、第２シーン操作ボタン２２２、及び第３シーン操作ボタン２２３のいずれであるかを判定する。詳しくは、制御部９は、シーン操作信号が、第１シーンボタン信号、第２シーンボタン信号、及び第３シーンボタン信号のいずれであるかを判定することにより、第２操作方式の操作を受け付けたシーン操作ボタン２２０が第１シーン操作ボタン２２１、第２シーン操作ボタン２２２、及び第３シーン操作ボタン２２３のいずれであるかを判定する。
【００６８】
制御部９は、第２操作方式の操作を受け付けたシーン操作ボタン２２０が第１シーン操作ボタン２２１、第２シーン操作ボタン２２２、及び第３シーン操作ボタン２２３のいずれであるかを判定すると、第２操作方式の操作を受け付けたシーン操作ボタン２２０と、現在設定されている導通遮断位相Ｐに関する情報とを関連付けて記憶部１０に記憶させる。本実施形態では、制御部９は、第２操作方式の操作を受け付けたシーン操作ボタン２２０が第１シーン操作ボタン２２１であると判定すると、第１シーン操作ボタン２２１を示す情報と、第１シーン操作ボタン２２１が押下された際に設定されていた導通遮断位相Ｐに関する情報とを関連付けて記憶部１０に記憶させる。また、制御部９は、第２操作方式の操作を受け付けたシーン操作ボタン２２０が第２シーン操作ボタン２２２であると判定すると、第２シーン操作ボタン２２２を示す情報と、第２シーン操作ボタン２２２が押下された際に設定されていた導通遮断位相Ｐに関する情報とを関連付けて記憶部１０に記憶させる。また、制御部９は、第２操作方式の操作を受け付けたシーン操作ボタン２２０が第３シーン操作ボタン２２３であると判定すると、第３シーン操作ボタン２２３を示す情報と、第３シーン操作ボタン２２３が押下された際に設定されていた導通遮断位相Ｐに関する情報とを関連付けて記憶部１０に記憶させる。
【００６９】
一方、制御部９は、シーン操作部２２が受け付けた操作が第２操作方式ではない、即ち、シーン操作部２２が受け付けた操作が第１操作方式であると判定すると（ステップＳ１０２；Ｎｏ）、呼出処理を実行して（ステップＳ１０６）、シーン操作処理を終了する。詳しくは、制御部９は、第１操作方式の操作を受け付けたシーン操作ボタン２２０に関連付けられた導通遮断位相Ｐに関する情報に基づいて、交流電圧Ｗ１０の導通遮断位相Ｐを変更する。本実施形態において、制御部９は、第１操作方式の操作を受け付けたシーン操作ボタン２２０が第１シーン操作ボタン２２１、第２シーン操作ボタン２２２、及び第３シーン操作ボタン２２３のいずれであるかを判定する。詳しくは、制御部９は、シーン操作信号が、第１シーンボタン信号、第２シーンボタン信号、及び第３シーンボタン信号のいずれであるかを判定することにより、第１操作方式の操作を受け付けたシーン操作ボタン２２０が第１シーン操作ボタン２２１、第２シーン操作ボタン２２２、及び第３シーン操作ボタン２２３のいずれであるかを判定する。制御部９は、第１操作方式の操作を受け付けたシーン操作ボタン２２０が第１シーン操作ボタン２２１、第２シーン操作ボタン２２２、及び第３シーン操作ボタン２２３のいずれであるかを判定すると、第１操作方式の操作を受け付けたシーン操作ボタン２２０と関連付けられて記憶部１０に記憶されている導通遮断位相Ｐに関する情報を参照して、スイッチ素子３１の動作を制御する。
【００７０】
以上、本実施形態について説明した。本実施形態によれば、ユーザーは、シーン操作部２２を第２操作方式で操作することにより、照明器具Ｌの調光状態を記憶させることができる。また、ユーザーは、シーン操作部２２を第１操作方式で操作することにより、記憶させた調光状態で照明器具Ｌを点灯させることができる。したがって、照明器具Ｌを点灯させる度に所望の調光状態となるように照明器具Ｌの光量を調整する操作を省略することができる。よって、ユーザーの利便性が向上する。
【００７１】
また、例えば、照明器具Ｌの調光状態を登録させるための登録ボタンと、所望の光量を呼び出すための呼出ボタンとが別途設けられている構成では、ユーザーは、照明器具Ｌの光量を所望の光量に調整した後に、調整した光量と、調整した光量を呼び出すための呼出ボタンとを関連付ける操作を行った上で、登録するための操作を行う必要がある。本実施形態によれば、照明器具Ｌの登録処理において操作するシーン操作ボタン２２０と、呼出処理において操作するシーン操作ボタン２２０とが一致する。したがって、ユーザーは、操作を省略することができる。よって、ユーザーの利便性が向上する。
【００７２】
また、本実施形態によれば、登録処理において操作するシーン操作ボタン２２０と、呼出処理において操作するシーン操作ボタン２２０とが一致する。詳しくは、枠体１において登録処理のために操作（押下）した位置と、枠体１において呼出処理のために操作（押下）する位置とが一致する。このため、ユーザーは、所望の調光状態を登録させたシーン操作ボタン２２０を忘れにくい。したがって、ユーザーの利便性が向上する。
【００７３】
また、複数の呼出ボタンが枠体に設けられている構成では、ユーザーは、複数の呼出ボタンのいずれに所望の調光状態が登録されているかが分からなくなり、混乱する可能性がある。しかしながら、本実施形態によれば、登録処理において操作するシーン操作ボタン２２０と、呼出処理において操作するシーン操作ボタン２２０とが一致する。したがって、ユーザーの混乱を回避することができる。よって、ユーザーの利便性が向上する。
【００７４】
また、本実施形態によれば、登録処理において操作するシーン操作ボタン２２０と、呼出処理において操作するシーン操作ボタン２２０とが一致するため、登録ボタンと、呼出ボタンとが別途設けられている構成と比べて、枠体１に配置されるボタンの数を削減することができる。よって、照明制御装置１００を小型化することができる。
【００７５】
なお、図９に示すように、調光テーブル１０１は、第２設定情報を更に保存してもよい。第２設定情報は、調光レベルの各々に関連付けられて調光テーブル１０１に保存される。換言すると、第２設定情報は、導通遮断位相Ｐを示す情報の各々に関連付けられる。第２設定情報は、照明器具Ｌの点灯時における導通遮断位相Ｐに関する情報を特定する情報である。換言すると、第２設定情報は、照明器具Ｌの点灯時における調光レベルを特定するための情報を示す。第２設定情報は、例えば、第２フラグである。照明器具Ｌの点灯時における調光レベルに関連付けられた第２フラグは、オン状態（例えば、「１」）であり、照明器具Ｌの点灯時における調光レベル以外の調光レベルに関連付けられた第２フラグは、オフ状態（例えば、空欄）である。調光テーブル１０１に第２設定情報が保存される構成である場合、制御部９は、照明器具Ｌが消灯状態において、電源操作信号が生成されると、第２設定情報を参照して、第２設定情報が特定する調光レベルに対応する導通遮断位相Ｐを示す情報を調光テーブル１０１から読み出す。そして、制御部９は、調光テーブル１０１から読み出した導通遮断位相Ｐを示す情報に基づいて、調光回路３の動作を制御する。
【００７６】
また、調光テーブル１０１に第２設定情報が保存される構成である場合、制御部９は、照明器具Ｌが点灯状態において、電源操作信号が生成されると、調光テーブル１０１を参照し、第２設定情報が、現在設定されている調光レベル（消灯時の調光レベル）を特定する情報となるように第２設定情報を更新してもよい。即ち、次回点灯時に、消灯時の調光レベルで照明器具Ｌが点灯するように第２設定情報を更新してもよい。
【００７７】
また、本実施形態の登録処理において、制御部９は、現在設定されている導通遮断位相Ｐに関する情報として、正極側の導通遮断位相Ｐを示す情報と、負極側の導通遮断位相Ｐを示す情報とを調光テーブル１０１から読み出す場合を説明したが、制御部９は、現在設定されている導通遮断位相Ｐに関する情報として、正極側の導通遮断位相Ｐを示す情報、及び負極側の導通遮断位相Ｐを示す情報のうちの一方のみを読み出して、調光テーブル１０１とは異なる記憶領域に記憶させてもよい。制御部９は、例えば、現在設定されている導通遮断位相Ｐに関する情報として、正極側の導通遮断位相Ｐを示す情報のみを記憶させた場合、所定の算出方法によって負極側の導通遮断位相Ｐを算出する。制御部９は、例えば、正極側の導通遮断位相Ｐに１８０度を加算することにより負極側の導通遮断位相Ｐを算出する。これにより、記憶部１０が記憶する情報量を削減することができる。この結果、記憶部１０の記憶領域を有効活用することができる。また、呼出処理時において、制御部９は、正極側の導通遮断位相Ｐを示す情報、及び負極側の導通遮断位相Ｐを示す情報のうちの一方のみを読み出せばよいため、記憶部１０に対する応答性能が向上する。
【００７８】
また、本実施形態において、導通遮断位相Ｐを示す情報は、正極側の導通遮断位相Ｐと、負極側の導通遮断位相Ｐとを示す場合を説明したが、導通遮断位相Ｐを示す情報は、正極側の導通遮断位相Ｐ及び負極側の導通遮断位相Ｐのうちの一方のみを示してもよい。
【００７９】
また、本実施形態の登録処理において、制御部９は、シーン操作ボタン２２０と現在設定されている導通遮断位相Ｐを示す情報とを関連付けて調光テーブル１０１とは異なる記憶領域に記憶したが、制御部９は、調光テーブル１０１を利用してシーン操作ボタン２２０と現在設定されている導通遮断位相Ｐに関する情報とを関連付けてもよい。この場合、図１０に示すように、調光テーブル１０１は、第１シーン設定情報、第２シーン設定情報、及び第３シーン設定情報を更に保存する。第１シーン設定情報は、第１シーン操作ボタン２２１に対応し、第２シーン設定情報は、第２シーン操作ボタン２２２に対応し、第３シーン設定情報は、第３シーン操作ボタン２２３に対応する。第１シーン設定情報、第２シーン設定情報、及び第３シーン設定情報の各々は、導通遮断位相Ｐを示す情報の各々に関連付けられる。第１シーン設定情報は、例えば、第１シーンフラグであり、第２シーン設定情報は、例えば、第２シーンフラグであり、第３シーン設定情報は、例えば、第３シーンフラグである。
【００８０】
第１シーン操作ボタン２２１が第２操作方式で操作された場合、制御部９は、調光テーブル１０１の第１設定情報を参照することにより、現在設定されている導通遮断位相Ｐに関する情報を特定する。そして、制御部９は、現在設定されている導通遮断位相Ｐに関する情報を特定するように第１シーン設定情報を更新する。具体的には、現在設定されている導通遮断位相Ｐを示す情報に関連付けられた第１シーンフラグをオン状態（例えば、「１」）に更新する。また、第１シーン操作ボタン２２１が第１操作方式で操作された場合、制御部９は、調光テーブル１０１の第１シーン設定情報を参照し、第１シーン設定情報によって特定される導通遮断位相Ｐに関する情報をテーブル情報から読み出す。そして、制御部９は、テーブル情報から読み出した導通遮断位相Ｐに関する情報に基づいて、調光回路３の動作を制御する。
【００８１】
また、第２シーン操作ボタン２２２が第２操作方式で操作された場合、制御部９は、調光テーブル１０１の第１設定情報を参照することにより、現在設定されている導通遮断位相Ｐに関する情報を特定する。そして、制御部９は、現在設定されている導通遮断位相Ｐに関する情報を特定するように第２シーン設定情報を更新する。具体的には、現在設定されている導通遮断位相Ｐを示す情報に関連付けられた第２シーンフラグをオン状態（例えば、「１」）に更新する。また、第２シーン操作ボタン２２２が第１操作方式で操作された場合、制御部９は、調光テーブル１０１の第２シーン設定情報を参照し、第２シーン設定情報によって特定される導通遮断位相Ｐに関する情報をテーブル情報から読み出す。そして、制御部９は、テーブル情報から読み出した導通遮断位相Ｐに関する情報に基づいて、調光回路３の動作を制御する。
【００８２】
また、第３シーン操作ボタン２２３が第２操作方式で操作された場合、制御部９は、調光テーブル１０１の第１設定情報を参照することにより、現在設定されている導通遮断位相Ｐに関する情報を特定する。そして、制御部９は、現在設定されている導通遮断位相Ｐに関する情報を特定するように第３シーン設定情報を更新する。具体的には、現在設定されている導通遮断位相Ｐを示す情報に関連付けられた第３シーンフラグをオン状態（例えば、「１」）に更新する。また、第３シーン操作ボタン２２３が第１操作方式で操作された場合、制御部９は、調光テーブル１０１の第３シーン設定情報を参照し、第３シーン設定情報によって特定される導通遮断位相Ｐに関する情報をテーブル情報から読み出す。そして、制御部９は、テーブル情報から読み出した導通遮断位相Ｐに関する情報に基づいて、調光回路３の動作を制御する。
【００８３】
また、本実施形態において、シーン操作部２２は、ＬＥＤインジケータを更に有してもよい。ＬＥＤインジケータは、シーン操作ボタン２２０に対応して設けられる。制御部９は、シーン操作ボタン２２０に対応して設けられたＬＥＤインジケータの点灯状態を制御する。制御部９は、例えば、「シーン」が登録されているシーン操作ボタン２２０のＬＥＤインジケータを点灯させ、呼出中の「シーン」が登録されたシーン操作ボタン２２０のＬＥＤインジケータを点滅させてもよい。ユーザーは、シーン操作ボタン２２０に対応して設けられたＬＥＤインジケータの点灯状態を視認することにより、シーンが登録されているシーン操作ボタン２２０を確認することができる。あるいは、ユーザーは、照明器具Ｌの現在の調光状態とシーン操作ボタン２２０との対応関係を知ることができる。したがって、ユーザーの利便性が向上する。
【００８４】
また、本実施形態において、第１操作方式が短押しであり、第２操作方式が長押しである場合を説明したが、第１操作方式と第２操作方式とは互いに異なる操作方式であればよく、例えば、第１操作方式が長押しであり、第２操作方式が短押しであってもよい。あるいは、第１操作方式と第２操作方式とは、短押しの回数が互いに異なる操作方式であってもよい。
【００８５】
また、本実施形態において、シーン操作部２２が３つのシーン操作ボタン２２０を有する構成を説明したが、シーン操作部２２が有するシーン操作ボタン２２０の数は、３つに限定されない。シーン操作ボタン２２０の数は、１つ、２つであってもよい。あるいは、シーン操作ボタン２２０の数は、４つ以上であってもよい。
【００８６】
また、本実施形態において、２つのスイッチ素子３１が直列に接続される構成を説明したが、２つのスイッチ素子３１は、並列に接続されてもよい。
【００８７】
また、本実施形態において、スイッチ素子３１は、２つのスイッチ素子３１（第１ＮｃｈＭＯＳＦＥＴ３１１及び第２ＮｃｈＭＯＳＦＥＴ３１２）を含む構成を説明したが、スイッチ素子３１の数は、２つに限定されない。スイッチ素子３１は、１つ又は３つ以上であってもよい。
【００８８】
また、本実施形態において、記憶部１０が制御部９に含まれない構成を説明したが、制御部９は、記憶部１０を含んでもよい。制御部９が記憶部１０を含む場合、制御部９は、例えば、マイクロコンピューターであり得る。
【００８９】
また、本実施形態において、照明器具ＬがＳＭＤチップのような光源を有する場合を説明したが、照明器具Ｌは、例えば、ＣＯＢ（Ｃｈｉｐ  Ｏｎ  Ｂｏａｒｄ）チップのような光源を有してもよい。
【００９０】
以上、本発明の実施形態について、図面（図１〜図１０）を参照しながら説明した。但し、本発明は、上記の実施形態に限られるものではなく、その要旨を逸脱しない範囲で種々の態様において実施することが可能である。また、上記の実施形態で示す数値等は、一例であって特に限定されるものではなく、本発明の効果から実質的に逸脱しない範囲で種々の変更が可能である。
【００９１】
例えば、本発明の実施形態において、電源操作ボタン２０１、調光操作ボタン２１１、及び複数のシーン操作ボタン２２０が機械式のボタンである構成を説明したが、電源操作ボタン２０１、調光操作ボタン２１１、及び複数のシーン操作ボタン２２０は、機械式のボタンに限定されない。電源操作ボタン２０１、調光操作ボタン２１１、及び複数のシーン操作ボタン２２０は、例えば、タッチパネルに表示されるボタンであってもよい。照明制御装置１００は、タッチパネルに表示された電源操作ボタン２０１、調光操作ボタン２１１、及び複数のシーン操作ボタン２２０のいずれかがユーザーによって選択されることにより、ユーザーによる操作を受け付ける。
【００９２】
また、本発明の実施形態において、調光回路３が１つである構成を説明したが、調光回路３は、複数であってもよい。これにより、１つの制御部９で多数の照明器具Ｌを制御することができる。
【００９３】
また、本発明の実施形態において、照明制御装置１００は、照明器具Ｌの光量のみを制御したが、照明制御装置１００は、照明器具Ｌから出射される光の光色を制御してもよい。この場合、照明器具Ｌは、相関色温度が互いに異なる発光素子を有する。照明制御装置１００は、相関色温度が異なる発光素子にそれぞれ接続する調光回路３を有する。照明制御装置１００は、相関色温度が異なる発光素子のそれぞれに接続する調光回路３の動作をそれぞれ制御することにより、照明器具Ｌから出射される光の光色を調整することができる。
【産業上の利用可能性】
【００９４】
本発明は、例えば、照明制御装置の分野に有用である。
【符号の説明】
【００９５】
２        操作部
３        調光回路
９        制御部
１０      記憶部
２１      調光操作部（第１操作部）
２２      シーン操作部（第２操作部）
１００    照明制御装置
【図１】
2020095894.tif 000003
【図２】
2020095894.tif 000004
【図３】
2020095894.tif 000005
【図４】
2020095894.tif 000006
【図５】
2020095894.tif 000007
【図６】
2020095894.tif 000008
【図７】
2020095894.tif 000009
【図８】
2020095894.tif 000010
【図９】
2020095894.tif 000011
【図１０】
2020095894.tif 000012